(57)【特許請求の範囲】
【請求項１】
ネットワーク層の通信プロトコルにＩＰを用いて通信するネットワークにおいて、ＩＰに基づくアドレス体系が互いに異なる複数のネットワークを介して通信するサーバと情報収集装置と、通信の送信元情報を前記サーバと前記情報収集装置に夫々通知するアドレス管理装置とを含み、前記サーバが前記情報収集装置からの情報を収集する情報収集システムであって、
前記情報収集装置が前記サーバに対してデータを送信する送信周期は、前記サーバと前記情報収集装置とが通信セッションを保持する期間として予め定められた所定の期間より短く、かつ、前記情報収集装置にデータを収集させる収集周期に関連付けて規定され、前記収集周期には第１収集周期と第２収集周期とが含まれ、前記送信周期には、前記第１収集周期に対応する第１送信周期と、前記第２収集周期に対応する第２送信周期とが含まれ、
前記サーバは、サーバ制御部を備え、
アドレス体系が互いに異なる複数のネットワークのうちの第１のアドレス体系のネットワーク側のネットワークに設けられ、送信する第１メッセージに前記第１メッセージに係る送信元を示す第１送信元情報が付与され、
前記サーバ制御部は、少なくとも前記情報収集装置との通信セッションが確立される前に、通信先にする前記情報収集装置の第２送信元情報を要求する前記第１メッセージを前記アドレス管理装置に対して送信し、
前記サーバと前記情報収集装置との間で第１通信セッションが確立された後に、前記情報収集装置に対する指令であって、前記第１送信周期と前記第１収集周期とに関する第１変数を含み、前記情報収集装置の動作を指定する第１指令を前記情報収集装置に送り、
前記サーバと前記情報収集装置との間で前記第１通信セッションに代わる第２通信セッションが確立された後に、前記情報収集装置に対する指令であって、前記第２送信周期と前記第２収集周期とに関する第２変数を含み、前記情報収集装置の動作を指定する第２指令を前記情報収集装置に送り、
前記情報収集装置は、情報収集制御部を備え、
前記第１のアドレス体系のネットワークと通信できるように構成されている第２のアドレス体系のネットワークに設けられ、送信する第２メッセージに前記第２メッセージに係る送信元を示す第２送信元情報が付与され、
前記情報収集制御部は、少なくとも前記サーバとの通信セッションが確立される前に、通信先にする前記サーバの前記第１送信元情報を要求する前記第２メッセージを前記アドレス管理装置に対して送信し、前記第１のアドレス体系のアドレスから前記第２のアドレス体系のアドレスに変換され中継された、前記情報収集装置に対する指令を受け付け可能とし、
前記サーバと前記情報収集装置との間で第１通信セッションが確立され、前記サーバから前記第１指令を受け付けた場合、前記第１指令に基づいた前記データの第１収集周期に従いデータを収集して、前記収集したデータを前記第１指令に基づいた前記データの第１送信周期に従い前記サーバ宛に送信し、
前記サーバと前記情報収集装置との間で第２通信セッションが確立され、前記サーバから前記第２指令を受け付けた場合、前記第２指令に基づいた前記データの第２収集周期に従いデータを収集して、前記収集したデータを前記第２指令に基づいた前記データの第２送信周期に従い前記サーバ宛に送信し、
前記アドレス管理装置は、
前記情報収集装置から前記第２メッセージを受けて、前記第２メッセージから前記第２メッセージの送信元を示す第２送信元情報を取得し、
前記サーバから前記第１メッセージを受けて、前記第１メッセージから前記第１メッセージの送信元を示す第１送信元情報を取得し、
前記第２メッセージを受けることにより取得した前記第２送信元情報を、前記第１メッセージに応じて前記サーバに通知し、
前記第１メッセージを受けることにより取得した前記第１送信元情報を、前記第２メッセージに応じて前記情報収集装置に通知し、
前記サーバと前記情報収集装置の少なくとも何れかが、前記アドレス管理装置から通知された前記第１送信元情報と前記第２送信元情報の少なくとも何れかの情報により通信先を特定する
ことを特徴とする情報収集システム。
【請求項２】
前記第１のアドレス体系は、ＩＰのグローバルアドレスに従うアドレス体系であり、
前記第２のアドレス体系は、ＩＰのローカルアドレスに従うアドレス体系である
ことを特徴とする請求項１に記載の情報収集システム。
【請求項３】
前記サーバ制御部は、
前記アドレス管理装置により前記情報収集装置のアドレスとして指定されたアドレス情報に基づいて前記情報収集装置との通信セッションの確立を要求し、
前記情報収集制御部は、
前記第１通信セッションが確立された後、前記予め定められた所定の期間、前記第１通信セッションを保持する
ことを特徴とする請求項１又は２に記載の情報収集システム。
【請求項４】
前記情報収集制御部は、
前記アドレス管理装置により前記サーバのアドレスとして指定されたアドレス情報に基づいて前記サーバとの通信セッションの確立を要求し、
前記サーバ制御部は、
前記第１通信セッションが確立された後、前記予め定められた所定の期間、前記通信セッションを保持する
ことを特徴とする請求項１又は２に記載の情報収集システム。
【請求項５】
前記サーバに前記第１のアドレス体系のアドレスが付与されており、
前記情報収集制御部は、
前記サーバに付与された前記第１のアドレス体系のアドレスを示す前記アドレス情報に基づいて前記サーバとの通信セッションの確立を要求する
ことを特徴とする請求項４に記載の情報収集システム。
【請求項６】
前記サーバに付与されたアドレスに係るアドレス情報を前記情報収集装置に通知するように構成されたアドレス情報管理処理部には、前記第１のアドレス体系のアドレスが付与され、
前記サーバに前記第１のアドレス体系と異なる第３のアドレス体系のアドレスが付与されており、
前記情報収集制御部は、
前記サーバに付与された前記第３のアドレス体系のアドレスに係る前記アドレス情報に
基づいて前記サーバとの通信セッションの確立を要求する
ことを特徴とする請求項４又は５に記載の情報収集システム。
【請求項７】
前記情報収集制御部は、
前記情報収集装置と前記サーバとの間の通信プロトコルにＸＭＰＰを用いて、前記情報
収集装置からの情報を前記サーバに送る
ことを特徴とする請求項１から６の何れか１項に記載の情報収集システム。
【請求項８】
前記情報収集装置は、
検出対象の状態を検出するセンサからの情報を得て、前記センサによって得られた情報を前記サーバに送る
ことを特徴とする請求項１から７の何れか１項に記載の情報収集システム。
【請求項９】
前記第１のアドレス体系と第３のアドレス体系は、ともにＩＰのローカルアドレスに従うアドレス体系であり、
前記アドレス管理装置は、前記第１のアドレス体系のネットワークに配置され、
前記サーバが通信に用いるアドレス情報には、自局に関わるアドレス情報と、前記情報収集装置と前記アドレス管理装置に係るアドレス情報とが含まれ、
前記サーバは、
前記第３のアドレス体系のネットワークに配置され、前記情報収集装置に係るアドレス情報として、前記アドレス管理装置から前記情報収集装置に係るグローバルアドレスを取得する、
ことを特徴とする請求項１から請求項５の何れか１項に記載の情報収集システム。
【発明の詳細な説明】
【技術分野】
【０００１】
この発明は、情報収集システム、情報収集方法及びプログラムに関するものである。
【背景技術】
【０００２】
現場側に設けた設備などの状態を検出し、検出した状態を示すデータ等を、現場から離れた場所（遠隔地）におかれたサーバ宛に通信により送り、当該データ等をサーバに集約させる情報収集システムがある（例えば、特許文献１参照）。特許文献１によれば、情報収集システムの検出対象を、屋外の現場に設けられたコン柱（コンクリート柱）にした構成が示されている。コン柱には、コン柱の状態を検出するセンサ、又は、コン柱に付設したセンサーノードがそれぞれ設けられている。センサーノードは、各センサによって検出されたコン柱の状態を示すデータを、無線回線を通じて収集する。センサーノードは収集したデータをサーバに対し送信する。この情報収集システムでは、センサーノードとサーバ間に専用の通信回線を利用することで、サーバに複数のセンサーノードからの情報を集約させている。
一方で、インターネットなどネットワーク層の通信プロトコルにＩＰ（Internet Protocol）を用いる通信サービスが普及している。
【先行技術文献】
【特許文献】
【０００３】
【特許文献１】特開２００６−２１７７０４号公報
【発明の概要】
【発明が解決しようとする課題】
【０００４】
しかしながら、現場側に設けた設備は屋外に設けられるだけではなく、ビル内に設けられる場合がある。検出対象の設備と設備の状態を示す情報を収集するセンサとをビル内に設ける場合、検出対象とセンサとセンサーノードとを屋外に設けた特許文献１の情報収集システムのように専用の通信回線を用意できない場合がある。例えば、下記のような制約により、センサの情報を集約するセンサーノードをビル内に設けて通信回線に接続することが制限されることがある。上記の制約として、専用の通信回線をビルに引き込もうとしても通信回線を容易に引き込めないという物理的な制約が挙げられる。これに対し、既存の通信設備を共用する構成が考えられる。ただし、既存の通信設備は、悪意のある攻撃などの影響を受けないようにセキュリティ性を確保するように構成されており、外部からの通信要求を容易に受け付けないようにするセキュリティーポリシーに従って構成されている場合が多い。既存の通信設備を共用する際には、上記のセキュリティーポリシーに対応させることが必要になる。このように、既存の通信設備を共用する場合にも上記のような制約があることにより、情報収集システムを容易に構成することができないことがある。上記のように、ネットワーク層の通信プロトコルにＩＰ（Internet Protocol）を用いるネットワークを使って遠隔地の情報を収集する構成の情報収集システムを容易に構成できない場合があった。
【０００５】
本発明は、斯かる実情に鑑みなされたものであり、本発明の目的は、ネットワーク層の
通信プロトコルにＩＰ（Internet Protocol）を用いるネットワークを使って遠隔地の情
報を収集する情報収集システムを提供することにある。
【課題を解決するための手段】
【０００６】
（１）本発明は、上記課題を解決するためになされたものであり、本発明の第１の態様である情報収集システムは、ネットワーク層の通信プロトコルにＩＰを用いて通信するネットワークにおいて、ＩＰに基づくアドレス体系が互いに異なる複数のネットワークを介して通信するサーバと情報収集装置と、通信の送信元情報を前記サーバと前記情報収集装置に夫々通知するアドレス管理装置とを含み、前記サーバが前記情報収集装置からの情報を収集する情報収集システムであって、前記情報収集装置が前記サーバに対してデータを送信する送信周期は、前記サーバと前記情報収集装置とが通信セッションを保持する期間として予め定められた所定の期間より短く、かつ、前記情報収集装置にデータを収集させる収集周期に関連付けて規定され、前記収集周期には第１収集周期と第２収集周期とが含まれ、前記送信周期には、前記第１収集周期に対応する第１送信周期と、前記第２収集周期に対応する第２送信周期とが含まれ、前記サーバは、サーバ制御部を備え、アドレス体系が互いに異なる複数のネットワークのうちの第１のアドレス体系のネットワーク側のネットワークに設けられ、送信する第１メッセージに前記第１メッセージに係る送信元を示す第１送信元情報が付与され、前記サーバ制御部は、少なくとも前記情報収集装置との通信セッションが確立される前に、通信先にする前記情報収集装置の第２送信元情報を要求する前記第１メッセージを前記アドレス管理装置に対して送信し、前記サーバと前記情報収集装置との間で第１通信セッションが確立された後に、前記情報収集装置に対する指令であって、前記第１送信周期と前記第１収集周期とに関する第１変数を含み、前記情報収集装置の動作を指定する第１指令を前記情報収集装置に送り、前記サーバと前記情報収集装置との間で前記第１通信セッションに代わる第２通信セッションが確立された後に、前記情報収集装置に対する指令であって、前記第２送信周期と前記第２収集周期とに関する第２変数を含み、前記情報収集装置の動作を指定する第２指令を前記情報収集装置に送り、前記情報収集装置は、情報収集制御部を備え、前記第１のアドレス体系のネットワークと通信できるように構成されている第２のアドレス体系のネットワークに設けられ、送信する第２メッセージに前記第２メッセージに係る送信元を示す第２送信元情報が付与され、前記情報収集制御部は、少なくとも前記サーバとの通信セッションが確立される前に、通信先にする前記サーバの前記第１送信元情報を要求する前記第２メッセージを前記アドレス管理装置に対して送信し、前記第１のアドレス体系のアドレスから前記第２のアドレス体系のアドレスに変換され中継された、前記情報収集装置に対する指令を受け付け可能とし、前記サーバと前記情報収集装置との間で第１通信セッションが確立され、前記サーバから前記第１指令を受け付けた場合、前記第１指令に基づいた前記データの第１収集周期に従いデータを収集して、前記収集したデータを前記第１指令に基づいた前記データの第１送信周期に従い前記サーバ宛に送信し、前記サーバと前記情報収集装置との間で第２通信セッションが確立され、前記サーバから前記第２指令を受け付けた場合、前記第２指令に基づいた前記データの第２収集周期に従いデータを収集して、前記収集したデータを前記第２指令に基づいた前記データの第２送信周期に従い前記サーバ宛に送信し、前記アドレス管理装置は、前記情報収集装置から前記第２メッセージを受けて、前記第２メッセージから前記第２メッセージの送信元を示す第２送信元情報を取得し、前記サーバから前記第１メッセージを受けて、前記第１メッセージから前記第１メッセージの送信元を示す第１送信元情報を取得し、前記第２メッセージを受けることにより取得した前記第２送信元情報を、前記第１メッセージに応じて前記サーバに通知し、前記第１メッセージを受けることにより取得した前記第１送信元情報を、前記第２メッセージに応じて前記情報収集装置に通知し、前記サーバと前記情報収集装置の少なくとも何れかが、前記アドレス管理装置から通知された前記第１送信元情報と前記第２送信元情報の少なくとも何れかの情報により通信先を特定する
ことを特徴とする。
本発明に係る情報収集システムによれば、サーバと情報収集装置は、アドレス管理装置にそれぞれメッセージを送り、そのメッセージの送信元情報をアドレス管理装置から受けて、互いの通信に利用する。情報収集装置がサーバに対してデータを送信する送信周期は、前記サーバと前記情報収集装置とが通信セッションを保持する期間として予め定められた所定の期間より短く、かつ、前記情報収集装置にデータを収集させる収集周期に関連付けて規定される。サーバは、アドレス体系が互いに異なる複数のネットワークのうちの第１のアドレス体系のネットワーク側のネットワークに設けられ、前記情報収集装置との通信セッションが確立した後に、サーバ制御部が、前記情報収集装置に対する指令を送る。情報収集装置は、前記第１のアドレス体系のネットワークと通信できるように構成されている第２のアドレス体系のネットワークに設けられる。情報収集制御部は、前記第１のアドレス体系のアドレスから前記第２のアドレス体系のアドレスに変換され中継された、前記情報収集装置に対する指令を受け付ける。
これにより、情報収集システムは、ネットワーク層の通信プロトコルにＩＰを用いるネットワークを使って遠隔地の情報を収集することができる。
【０００７】
（２）上記本発明に係る情報収集システムにおいて、前記第１のアドレス体系は、ＩＰのグローバルアドレスに従うアドレス体系であり、前記第２のアドレス体系は、ＩＰのローカルアドレスに従うアドレス体系であることを特徴とする。
本発明に係る情報収集システムによれば、サーバがＩＰのグローバルアドレスに従うアドレス体系のネットワーク側に設けられ、情報収集装置がＩＰのローカルアドレスに従うアドレス体系のネットワークに設けられる。
これにより、情報収集システムは、サーバが情報収集装置と異なるアドレス体系のネットワークに設けられたとしても、ネットワーク層の通信プロトコルにＩＰを用いるネットワークを使って遠隔地の情報を収集することができる。
【０００８】
（３）上記本発明に係る情報収集システムにおいて、前記サーバ制御部は、前記アドレス管理装置により前記情報収集装置のアドレスとして指定されたアドレス情報に基づいて前記情報収集装置との通信セッションの確立を要求し、前記情報収集制御部は、前記第１通信セッションが確立された後、前記予め定められた所定の期間、前記第１通信セッションを保持することを特徴とする。
本発明に係る情報収集システムによれば、前記サーバ制御部は、前記情報収集装置のアドレスとして指定されたアドレス情報に基づいて前記情報収集装置との通信セッションの確立を要求する。前記情報収集制御部は、前記第１通信セッションが確立された後、前記予め定められた所定の期間、前記第１通信セッションを保持する。
これにより、情報収集システムは、サーバ側から通信セッションの確立を要求して、情報収集装置との通信を開始することができることから、サーバからの制御に応じて、ネットワーク層の通信プロトコルにＩＰを用いるネットワークを使って遠隔地の情報を収集することができる。
【０００９】
（４）上記本発明に係る情報収集システムにおいて、前記情報収集制御部は、前記アドレス管理装置により前記サーバのアドレスとして指定されたアドレス情報に基づいて前記サーバとの通信セッションの確立を要求し、前記サーバ制御部は、前記第１通信セッションが確立された後、前記予め定められた所定の期間、前記通信セッションを保持することを特徴とする。
本発明に係る情報収集システムによれば、情報収集制御部は、前記サーバのアドレスとして指定されたアドレス情報に基づいて前記サーバとの通信セッションの確立を要求する。サーバ制御部は、前記第１通信セッションが確立された後、前記予め定められた所定の期間、前記通信セッションを保持する。
これにより、情報収集システムは、情報収集装置側から通信セッションの確立を要求して、サーバとの通信を開始することができることから、ネットワーク層の通信プロトコルにＩＰを用いるネットワークを使って遠隔地の情報を収集することができる。
【００１０】
（５）上記本発明に係る情報収集システムにおいて、前記サーバに前記第１のアドレス体系のアドレスが付与されており、前記情報収集制御部は、前記サーバに付与された前記第１のアドレス体系のアドレスを示す前記アドレス情報に基づいて前記サーバとの通信セッションの確立を要求することを特徴とする。
本発明に係る情報収集システムによれば、サーバに第１のアドレス体系のアドレスが付与される。情報収集制御部は、サーバに付与された前記第１のアドレス体系のアドレスを示す前記アドレス情報に基づいてサーバとの通信セッションの確立を要求する。
これにより、情報収集システムは、サーバに第１のアドレス体系のアドレスが付与される場合においても、情報収集制御部が、サーバに付与された前記第１のアドレス体系のアドレスを示す前記アドレス情報に基づいてサーバとの通信セッションの確立を要求することにより、ネットワーク層の通信プロトコルにＩＰを用いるネットワークを使って遠隔地の情報を収集することができる。
【００１１】
（６）上記本発明に係る情報収集システムにおいて、前記サーバに付与されたアドレスに係るアドレス情報を前記情報収集装置に通知するように構成されたアドレス情報管理処理部には、前記第１のアドレス体系のアドレスが付与され、前記サーバに前記第１のアドレス体系と異なる第３のアドレス体系のアドレスが付与されており、前記情報収集制御部は、前記サーバに付与された前記第３のアドレス体系のアドレスに係る前記アドレス情報に基づいて前記サーバとの通信セッションの確立を要求することを特徴とする。
本発明に係る情報収集システムによれば、アドレス情報管理処理部は、サーバに付与されたアドレスに係るアドレス情報を前記情報収集装置に通知する。アドレス情報管理処理部には、第１のアドレス体系のアドレスが付与され、サーバには前記第１のアドレス体系と異なる第３のアドレス体系のアドレスが付与される。情報収集制御部は、サーバに付与された第３のアドレス体系のアドレスに係る前記アドレス情報に基づいてサーバとの通信セッションの確立を要求する。
これにより、情報収集システムは、アドレス情報管理処理部が、サーバに付与されたアドレスに係るアドレス情報を前記情報収集装置に通知することにより、ネットワーク層の通信プロトコルにＩＰを用いるネットワークを使って遠隔地の情報を収集することができる。
【００１３】
（８）上記本発明に係る情報収集システムにおいて、前記情報収集制御部は、前記情報収集装置と前記サーバとの間の通信プロトコルにＸＭＰＰを用いて、前記情報収集装置からの情報を前記サーバに送ることを特徴とする。
本発明に係る情報収集システムによれば、情報収集制御部は、前記情報収集装置と前記サーバとの間の通信プロトコルにＸＭＰＰを用いて、前記情報収集装置からの情報を前記サーバに送る。
これにより、情報収集システムは、上位層の通信プロトコルにＸＭＰＰと、ネットワーク層の通信プロトコルにＩＰとを用いるネットワークを使って遠隔地の情報を収集することができる。
【００１４】
（９）上記本発明に係る情報収集システムにおいて、前記情報収集装置は、検出対象の状態を検出するセンサからの情報を得て、前記センサによって得られた情報を前記サーバに送ることを特徴とする。
本発明に係る情報収集システムによれば、センサが検出対象の状態を検出する。情報収集装置がセンサによって得られた情報をサーバに送ることにより、ネットワーク層の通信プロトコルにＩＰを用いるネットワークを使って遠隔地の検出対象の状態を示す情報を収集することができる。
（１０）上記本発明に係る情報収集システムにおいて、前記第１のアドレス体系と前記第３のアドレス体系は、ともにＩＰのローカルアドレスに従うアドレス体系であり、前記アドレス管理装置は、前記第１のアドレス体系のネットワークに配置され、前記サーバが通信に用いるアドレス情報には、自局に関わるアドレス情報と、前記情報収集装置と前記アドレス管理装置に係るアドレス情報とが含まれ、前記サーバは、前記第３のアドレス体系のネットワークに配置され、前記情報収集装置に係るアドレス情報として、前記アドレス管理装置から前記情報収集装置に係るグローバルアドレスを取得することを特徴とする。
本発明に係る情報収集システムによれば、アドレス管理装置がＩＰのグローバルアドレスに従うアドレス体系のネットワーク側に設けられ、サーバと情報収集装置がＩＰのローカルアドレスに従うアドレス体系のネットワークに設けられる。
これにより、情報収集システムは、サーバと情報収集装置とがローカルアドレスに従うアドレス体系のネットワークに設けられたとしても、アドレス管理装置と通信することにより、サーバと情報収集装置のそれぞれに対応するグローバルアドレスを使って遠隔地の情報を収集することができる。
【発明の効果】
【００１７】
本発明によれば、ネットワーク層の通信プロトコルにＩＰ（Internet Protocol）を用いるネットワークを使って遠隔地の情報を収集することができる。
【図面の簡単な説明】
【００１８】
【図１】本発明の第１の実施形態に係る情報収集システムの概要を示す説明図である。
【図２】情報収集システム１の処理の手順を示すフローチャートである。
【図３】情報収集システム１の処理の流れを示すシーケンス図である。
【図４】第２の実施形態に係る情報収集システムの概要を示す説明図である。
【図５】情報収集システム１Ａの処理の流れを示すシーケンス図である。
【発明を実施するための形態】
【００１９】
以下、本発明の実施の形態を、添付図面を参照して説明する。
【００２０】
［第１実施形態］
＜情報収集システムの概略構成＞
図１は、本発明の実施形態に係る情報収集システムの概要を示す説明図である。
【００２１】
同図に示す情報収集システム１は、情報収集装置１００、サーバ２００、アドレス管理装置３００、及び端末５００を備える。
【００２２】
（ネットワーク構成）
情報収集システム１は、ネットワーク層の通信プロトコルにＩＰ（Internet Protocol）を用いて通信するネットワークを介して、サーバ２００が情報収集装置１００からの情報を収集する。
上記のネットワークは、ＩＰに基づくアドレス体系が互いに異なる複数のネットワーク、例えばネットワーク１０、２０、３０として構成される。ネットワーク１０には情報収集装置１００が、ネットワーク２０にはサーバ２００が、ネットワーク３０にはアドレス管理装置３００が、それぞれ接続されている。ネットワーク１０、２０は、ネットワーク３０にそれぞれ接続されており、ネットワーク１０とネットワーク２０は直接接続されていないものとする。
例えば、ネットワーク１０、２０は、ユーザが設けたＬＡＮ（Local Area Network）であり、ネットワーク１０のアドレス体系（第２のアドレス体系）は、ローカルアドレスが付与されるものとする。また、ネットワーク２０のアドレス体系（第３のアドレス体系）は、ネットワーク１０のアドレス体系とは独立にローカルアドレスが付与されるものとする。また、ネットワーク３０は、外部に公開用のネットワークであり、ネットワーク３０のアドレス体系（第１のアドレス体系）は、グローバルアドレスが付与されるものとする。上記のようなネットワークを構成することにより、情報収集装置１００とサーバ２００とを外部のネットワークに公開することなく、アドレス管理装置３００のみが公開されるように構成できる。
【００２３】
上記の構成によれば、サーバ２００は、情報収集装置１００のネットワーク１０に対し、ネットワーク３０側に設けられているネットワーク２０に接続されている。
また、上記のように構成する場合、ネットワーク１０とネットワーク３０との間に通信装置１５が設けられ、ネットワーク２０とネットワーク３０との間に通信装置２５が設けられている。通信装置１５と通信装置２５は、例えば、アドレス変換を行うＮＡＰＴ（RFC2663）、いわゆるＮＡＴ（Network Address Translation）又はファイヤーウォール等の機能を有するものとする。通信装置１５と通信装置２５におけるアドレスの変換機能により、ネットワーク３０側から識別できる情報収集装置１００とサーバ２００のアドレスは、情報収集装置１００とサーバ２００の実際のアドレスと異なるアドレスとして認識される。
【００２４】
（情報収集装置１００）
情報収集装置１００は、情報取得部１１０、記憶部１２０、通信部１３０、及び情報収集制御部１４０を備える。
情報取得部１１０は、センサ１９０から供給される情報（データ）を得る。例えば、センサ１９０が、検出した物理量をアナログ値で出力するものである場合、情報取得部１１０は、センサ１９０からのアナログ値をサンプリングして、所望の時系列データに変換する。また、センサ１９０が、検出した物理量をデジタル値で出力するものである場合、情報取得部１１０は、センサ１９０からのデジタル値をサンプリングして、所望の時系列データに変換する。例えば、センサ１９０は、変位計、速度計、加速度計、振動センサ、音響センサなどであり、測定対象物の状態を検出するものとする。また、センサ１９０は、撮像部を備えて現場の状況を映像信号として出力するものであってもよい。情報取得部１１０は、上記のような各センサの種類に応じた信号から所望の情報を抽出する。
【００２５】
記憶部１２０は、センサ１９０から供給される信号から抽出された情報、情報収集制御部１４０を機能させるためのプログラム、通信に用いるアドレス情報などを記憶する。通信に用いるアドレス情報には、自局のアドレスと、サーバ２００とアドレス管理装置３００のアドレスが含まれる。
通信部１３０は、情報収集制御部１４０の制御に応じて、サーバ２００とアドレス管理装置３００と通信する。
【００２６】
情報収集制御部１４０は、情報入力処理部１４２、アドレス情報管理処理部１４４、情報通信処理部１４６を備える。
【００２７】
情報入力処理部１４２は、情報取得部１１０によって抽出された情報を受け、その情報をセンサごとの時系列データとして記憶部１２０に記憶させる。
アドレス情報管理処理部１４４は、サーバ２００に係るアドレス情報の提供をアドレス管理装置３００に対して要求する。アドレス情報管理処理部１４４は、アドレス管理装置３００からサーバ２００に係るアドレス情報の提供を受け、提供を受けたサーバ２００に係るアドレス情報を記憶部１２０に記憶させる。
【００２８】
情報通信処理部１４６は、サーバ２００に送る情報を記憶部１２０から読み出して、サーバ２００宛に送る情報にする。例えば、情報収集装置１００から送る情報は、ＸＭＰＰによるＸＭＬの記述ルールに従った情報にするため、記憶部１２０から読み出した時系列情報を符号化する。
【００２９】
（サーバ２００）
サーバ２００は、記憶部２２０、通信部２３０、及びサーバ制御部２４０を備える。
記憶部２２０は、サーバ制御部２４０を機能させるためのプログラム、通信に用いるアドレス情報、情報収集装置１００がセンサ１９０から取得した情報などを記憶する。通信に用いるアドレス情報には、自局のアドレスと、情報収集装置１００とアドレス管理装置３００に係るアドレス情報が含まれる。
通信部２３０は、サーバ制御部２４０の制御に応じて、情報収集装置１００とアドレス管理装置３００と通信する。
【００３０】
サーバ制御部２４０は、ＤＢ処理部２４２、アドレス情報管理処理部２４４、情報通信処理部２４６、及び情報中継制御部２４８を備える。
ＤＢ処理部２４２は、情報収集装置１００から収集した情報を記憶部２２０に記憶させる。ＤＢ処理部２４２は、端末５００からの要求に応じて、情報収集装置１００から収集した情報を情報中継制御部２４８によって記憶部２２０から読み出して、端末５００に中継する。例えば、ＤＢ処理部２４２は、ＳＱＬサーバ機能を備えるものとして構成してもよい。
【００３１】
アドレス情報管理処理部２４４は、情報収集装置１００に係るアドレス情報の提供をアドレス管理装置３００に対して要求する。アドレス情報管理処理部２４４は、アドレス管理装置３００から情報収集装置１００に係るアドレス情報の提供を受け、提供を受けた情報収集装置１００に係るアドレス情報を記憶部２２０に記憶させる。
【００３２】
情報通信処理部２４６は、情報収集装置１００から送られる情報を受け、受けた情報を記憶部２２０に記憶させる情報にする。例えば、情報収集装置１００から送られる情報は、ＸＭＰＰにより規定されているＸＭＬ（Extensible Markup Language）で記述された情報から復号する。
【００３３】
情報中継制御部２４８は、サーバ２００が収集した情報の提供を要求する指令を端末５００から受け、その指令に応じて、記憶部２２０を参照して、対象とする情報収集装置１００、同装置に接続されたセンサ１９０の所望の期間の情報について提供する。
【００３４】
（アドレス管理装置３００）
アドレス管理装置３００は、記憶部３２０、通信部３３０、及びアドレス情報管理処理部３４４を備える。
記憶部３２０は、アドレス情報管理処理部３４４を機能させるためのプログラム、通信に用いるアドレス情報などを記憶する。通信に用いるアドレス情報には、自局のアドレスと、情報収集装置１００とサーバ２００に係るアドレス情報が含まれる。
通信部３３０は、アドレス情報管理処理部３４４の制御に応じて、情報収集装置１００とサーバ２００と通信する。
アドレス情報管理処理部３４４については後述する。
【００３５】
＜情報収集システム１の動作概要＞
図２を参照して、情報収集システム１の動作概要について説明する。同図は、情報収集システム１の処理の手順を示すフローチャートである。情報収集システム１は、同図に示す処理の手順に従う動作モードを有するものとする。
【００３６】
まず、情報収集装置１００とサーバ２００は、通信相手のアドレスに係る情報を取得する（ステップＳ１０）。次に、サーバ２００は、情報収集装置１００を制御する（ステップＳ２０）。次に、情報収集装置１００は、取得した情報をサーバ２００に送る（ステップＳ３０）。次に、サーバ２００は端末５００に情報を中継する（ステップＳ４０）。
【００３７】
＜情報収集システム１の処理の詳細＞
図３を参照して、以上に示した処理の詳細を順に説明する。同図は、情報収集システム１の処理の流れを示すシーケンス図である。
【００３８】
（通信相手のアドレスに係る情報の取得）
アドレス管理装置３００は、情報収集装置１００とサーバ２００のアドレスに係る情報を管理する。情報収集装置１００とサーバ２００の記憶部には、アドレス管理装置３００のアドレスが予め記憶されているものとする。
情報収集装置１００（アドレス情報管理処理部１４４）は、アドレス管理装置３００に通信相手であるサーバ２００のアドレス情報の提供を要求する（ステップＳ１１２）。サーバ２００（アドレス情報管理処理部２４４）は、アドレス管理装置３００に通信相手である情報収集装置１００のアドレス情報の提供を要求する（ステップＳ２１２）。
【００３９】
アドレス管理装置３００（アドレス情報管理処理部３４４）は、情報収集装置１００とサーバ２００とからの要求を受信する（ステップＳ３１２）。例えば、アドレス管理装置３００（アドレス情報管理処理部３４４）は、サーバ２００に係るアドレス情報を要求するメッセージを情報収集装置１００から受けた段階で、同メッセージの送信元である情報収集装置１００に係るアドレス情報を取得して、記憶部３２０に記憶させる。また、アドレス管理装置３００（アドレス情報管理処理部３４４）は、情報収集装置１００に係るアドレス情報を要求するメッセージをサーバ２００から受けた段階で、サーバ２００に係るアドレス情報を取得して、記憶部３２０に記憶させる。
【００４０】
アドレス管理装置３００（アドレス情報管理処理部３４４）は、情報収集装置１００からの要求に応じて、通信先であるサーバ２００に係るアドレス情報を要求元の情報収集装置１００に通知する。また、アドレス管理装置３００（アドレス情報管理処理部３４４）は、サーバ２００からの要求に応じて、通信先である情報収集装置１００に係るアドレス情報を要求元のサーバ２００に通知する（ステップＳ３１４）。
【００４１】
情報収集装置１００（アドレス情報管理処理部１４４）とサーバ２００（アドレス情報管理処理部２４４）は、アドレス管理装置３００からアドレス情報の通知を受けた後、通知を受けたアドレス情報をそれぞれの記憶部に記憶させる（ステップＳ１１４、Ｓ２１４）。
【００４２】
以上に示すように、公開されたネットワーク（ネットワーク３０）にアドレス管理装置３００が設けられていることにより、上記の手順に従えば、情報収集装置１００とサーバ２００は、アドレス管理装置３００を介して互いのアドレスに係る情報を取得することができる。ただし、情報収集装置１００とサーバ２００のそれぞれには、ローカルアドレスが振られている。そのため、アドレス管理装置３００を介して取得できる互いのアドレスに係る情報は、情報収集装置１００とサーバ２００にそれぞれ振られたアドレス（ローカルアドレス）から変換されたアドレス（グローバルアドレス）になる。通信の宛先アドレスとしてグローバルアドレスを指定することにより、そのグローバルアドレスに関連付けられているローカルアドレスが振られた装置に所望のメッセージが届く。
【００４３】
（サーバ２００による情報収集装置１００の制御）
次に、サーバ２００による情報収集装置１００の制御について説明する。
一般に、サーバ・クライアント型の構成の通信では、サーバはクライアントからの要求に応じて通信する。この場合、サーバ側から通信のセッションを確立させることは一般的ではない。
【００４４】
これに対し、本実施形態のサーバ２００は、情報収集装置１００との通信のセッションが確立されていない場合には、サーバ２００側からその通信のセッションを確立させることができる。例えば、サーバ２００（サーバ制御部２４０）は、通信のセッションを確立させる通信手順の要求を情報収集装置１００に送り、通信のセッションを確立させる。
サーバ２００は、通信のセッションが確立した後に、サーバ２００から情報収集装置１００を制御するための指令を情報収集装置１００に送る（ステップＳ３２０）。
前述のとおり、サーバ２００と情報収集装置１００との通信プロトコルには、ＸＭＰＰを用いている。ＸＭＰＰは、中継サーバを用いずに端末同士で１：１のメッセージ通信を行う場合などに用いられている。この特徴を利用して、サーバ２００と情報収集装置１００との間の通信を対等に行えるようにした。
例えば、サーバ２００から情報収集装置１００を制御するための指令には、情報収集装置１００の動作モードを変更する指令、情報収集装置１００の動作の開始／停止などを制御する指令が含まれている。情報収集装置１００は、「情報収集装置１００の動作モードを変更する指令」を受けて、記憶部１２０に記憶されている動作モードを定める変数を書き換えて更新させる（ステップＳ１２０）。
上記の手順で確立された通信のセッションを、情報収集装置１００（情報収集制御部１４０）は、上記の指令を受けた後も、予め定めた所定の期間、前記通信セッションを保持する。
なお、上記のステップＳ３２０とステップＳ１２０の手順を省略して、次の「情報収集装置１００によって取得された情報のサーバ２００に対する送信」の手順を行うようにしてもよい。
【００４５】
（情報収集装置１００によって取得された情報のサーバ２００に対する送信）
次に、情報収集装置１００によって取得された情報のサーバ２００に対して送信する処理について説明する。
上記のステップＳ１２０までの処理の結果、情報収集装置１００は、サーバ２００からの指令に応じた設定の動作モードで機能させることができる。又は、情報収集装置１００は、予め定めた動作モードで機能させてもよい。例えば、情報収集装置１００の動作モードにより定める変数には、情報入力処理部１４２が情報取得部１１０から情報を収集する周期の設定、情報通信処理部１４６がサーバ２００に情報を送る周期の設定などが含まれる。
【００４６】
情報収集装置１００は、サーバ２００との通信のセッションが確立されていない場合には、情報収集装置１００側からその通信のセッションを確立させることができる。例えば、情報収集装置１００（情報収集制御部１４０）は、通信のセッションを確立させる通信手順の要求をサーバ２００に送り、通信のセッションを確立させる。
情報通信処理部１４６は、サーバ２００からの指令によって定められた所定の周期に従って、情報通信処理部１４６がサーバ２００に情報を送る（ステップＳ１３０）。情報通信処理部２４６は、情報収集装置１００から送られる情報を受け、受けた情報を記憶部２２０に記憶させる情報にする(ステップＳ３３０)。このように、サーバ２００に情報を送る周期を調整できることにより、情報入力処理部１４２が情報取得部１１０から情報を収集する周期に応じて、サーバ２００に情報を送る周期を調整することにより、１回の送信に送る情報の量を調整することが可能になる。
上記の手順で確立された通信のセッションを、サーバ２００（サーバ制御部２４０）は、上記の指令を受けた後も、予め定めた所定の期間、前記通信セッションを保持する。
【００４７】
（端末５００に対する情報提供）
次に、端末５００に対する情報提供について説明する。
サーバ２００が収集した情報を端末５００から参照することができる。端末５００は、サーバ２００に対して、対象とする情報収集装置１００、同装置に接続されたセンサ１９０を指定して、所望の期間の情報についての提供を要求する（ステップＳ５４２）。サーバ２００（情報中継制御部２４８）は、サーバ２００が収集した情報の提供を要求する指令を端末５００から受け、その指令に応じて、記憶部２２０を参照して、対象とする情報収集装置１００、同装置に接続されたセンサ１９０の所望の期間の情報を抽出する(ステップＳ３４２)。
【００４８】
サーバ２００（情報中継制御部２４８）は、上記の端末５００の要求に応じて抽出した情報を、上記の端末５００の要求に応じて端末５００に対し送信する（ステップＳ３４４）。端末５００は、サーバ２００から送信された情報を受信して、受信した情報を出力する（ステップＳ５４４）。
【００４９】
なお、上記の端末５００に対する情報提供の処理は、端末５００においてブラウザを利用して、ＷＥＢシステムとして構成されたサーバ２００（情報中継制御部２４８）をアクセスするようにしてもよい。又は、端末５００がサーバ２００と異なるサーバであって、サーバ間で情報を中継するように構成してもよい。
【００５０】
以上に示した手順に従えば、情報収集システム１は、ネットワーク層の通信プロトコルにＩＰを用いるネットワークを使って遠隔地の情報を収集することができる。
なお、ネットワーク３０をインターネットに接続されるネットワークとすることにより、一般的なネットワーク構成を利用して、情報収集システム１を構成することができる。例えば、ネットワーク３０は、ネットワーク２０とインターネットとの間に設けられたファイヤーウォールのＤＭＺ（DeMilitarized Zone）であってもよく、或いは、ネットワーク１０とインターネットとの間に設けられたファイヤーウォールのＤＭＺであってもよい。
また、情報収集システム１は、情報収集装置１００とサーバ２００との間の通信プロトコルにＸＭＰＰを用いて、情報収集装置１００からの情報をサーバ２００に送る。通信プロトコルにＸＭＰＰを用いたことにより、ファイヤーウォールを介して通信する場合においても、そのファイヤーウォールに新たなセキュリティホールを設けることなく、ネットワーク２０からネットワーク３０へのＸＭＰＰのアウトバウンドを許可する通信ルールと、ネットワーク１０からネットワーク３０へのＸＭＰＰのアウトバウンドを許可する通信ルールとを、ファイヤーウォールに追加することで情報収集装置１００とサーバ２００が相互に通信することが可能になる。
【００５１】
［第１実施形態の変形例］
前述の図１を参照して、本実施形態の変形例について説明する。各構成については、前述の説明を参照することとし、変形例としての特徴を中心に説明する。
【００５２】
センサ１９０は、検出対象の設備の振動を検出する。情報収集装置１００は、センサ１９０によって検出された振動の情報を時系列情報として収集する。サーバ２００は、情報収集装置１００によって収集された時系列情報としての振動の情報を、情報収集装置１００から得る。
【００５３】
上記のように構成された情報収集システム１は、収集する振動の情報を検出対象の設備の状態に応じて調整することができる。
例えば、検出対象の設備に異常な状態が検知された場合、その状態を解析するために詳細な情報を取得したい場合がある。このような場合、情報収集システム１によれば、情報を収集する方法を目的に応じて調整することができ、断続的な検出を連続的な検出に変更したり、収集する振動の情報の周波数成分を変えるためにサンプリング周期を調整したりするようにしてもよい。
このように、情報収集システム１は、ネットワーク層の通信プロトコルにＩＰを用いるネットワークを使って遠隔地の情報を収集できることにより、遠隔からの指令により現場の機器の状態を簡易に確認することができ、遠隔にいながら現場の状態を容易に判断できるようになる。
さらに、同じ現場の音声情報や映像情報を取得するように、センサ１９０と情報収集装置１００を増設したり、扱う情報を増やすようにしたりすることにより、各種情報を収集することができ総合的な判断が行えるようになる。
【００５４】
また、継続的に現場の状況を収集することにより、状況の変化を速やかに検出することができる。情報収集システム１は、予め定めた所定の周期（間隔）で現場の状況を、情報収集装置１００からサーバ２００宛に送信する。その送信の周期（間隔）を、情報収集装置１００とサーバ２００との間の通信のセッションを保持する期間として予め定めた所定の期間より短くする。このように、送信の周期（間隔）を調整することにより、通信のセッションを維持することのみを目的とする通信を行うことが不要となり、システム全体の通信量を削減することができる。また、サーバ２００の通信処理に係る負荷を低減することができ、単位時間に収集できる情報量を増やすことが可能になる。
【００５５】
［第２実施形態］
図４と図５を参照して、本発明の実施形態について説明する。
【００５６】
＜情報収集システムの概略構成＞
図４は、本発明の実施形態に係る情報収集システムの概要を示す説明図である。
【００５７】
同図に示す情報収集システム１Ａは、情報収集装置１００Ａ、サーバ２００Ａ、及び端末５００を備える。
情報収集システム１が、情報収集装置１００、サーバ２００及びアドレス管理装置３００を備えていたのに対し、情報収集システム１Ａは、情報収集装置１００Ａとサーバ２００Ａを備える。前述の構成と同じ構成には同じ符号を附し、情報収集システム１Ａ、情報収集装置１００Ａ、及びサーバ２００Ａについては、前述の構成と異なる点を中心に説明する。
【００５８】
（ネットワーク構成）
同図に示されたネットワークは、ＩＰに基づくアドレス体系が互いに異なる複数のネットワーク、例えばネットワーク１０、３０として構成される。ネットワーク１０には情報収集装置１００Ａが、ネットワーク３０にはサーバ２００Ａがそれぞれ接続されている。ネットワーク１０は、ネットワーク３０に接続されている。
ネットワーク１０とネットワーク３０との間に通信装置１５が設けられている。通信装置１５は、例えば、アドレス変換を行うＮＡＰＴ（RFC2663）、いわゆるＮＡＴ（Network Address Translation）又はファイヤーウォール等の機能を有するものとしてもよい。通信装置１５におけるアドレスの変換機能により、ネットワーク３０側から識別できる情報収集装置１００Ａのアドレスは、情報収集装置１００Ａの実際のアドレスに対して異なるアドレスとして認識される。本実施形態におけるサーバ２００には、グローバルアドレスが付与されているものとする。
なお、上記の実施形態に示す情報収集システム１Ａの構成ではサーバ２００Ａにグローバルアドレスが付与されることを必要とするが、他の構成におけるサーバ２００（２００Ａ）に相当するサーバに必ずしもグローバルアドレスが付与されることを必要とするものではない。
【００５９】
（情報収集装置１００Ａ）
情報収集装置１００Ａは、情報取得部１１０、記憶部１２０、通信部１３０、及び情報収集制御部１４０Ａを備える。
情報収集制御部１４０Ａは、情報入力処理部１４２、アドレス情報管理処理部１４４Ａ、情報通信処理部１４６を備える。
アドレス情報管理処理部１４４Ａは、サーバ２００に対して通信の接続を要求する。なお、記憶部１２０には、予めサーバ２００に係るアドレス情報が記憶されているものとする。
【００６０】
（サーバ２００Ａ）
サーバ２００Ａは、記憶部２２０、通信部２３０、及びサーバ制御部２４０Ａを備える。
サーバ制御部２４０Ａは、ＤＢ処理部２４２、アドレス情報管理処理部２４４Ａ、情報通信処理部２４６、及び情報中継制御部２４８を備える。
【００６１】
アドレス情報管理処理部２４４Ａは、情報収集装置１００Ａから通信の接続の要求を受け、要求に応じて、その要求の通信接続から抽出した情報収集装置１００Ａに係るアドレス情報を記憶部２２０に記憶させる。これにより、サーバ２００Ａは、情報収集装置１００Ａに係るアドレス情報を取得することができ、サーバ２００Ａから通信のセッションを確立させることができる。
【００６２】
＜情報収集システム１Ａの動作概要＞
情報収集システム１Ａの動作概要は、前述の図２に示す情報収集システム１の動作概要を参照する。
【００６３】
＜情報収集システム１Ａの処理の詳細＞
図５を参照して、以上に示した処理の詳細を順に説明する。同図は、情報収集システム１Ａの処理の流れを示すシーケンス図である。
【００６４】
（通信相手のアドレスに係る情報の取得）
サーバ２００は、情報収集装置１００とサーバ２００のアドレスに係る情報を管理する。情報収集装置１００の記憶部には、サーバ２００のアドレスが予め記憶されているものとする。
【００６５】
情報収集装置１００Ａ（アドレス情報管理処理部１４４Ａ）は、サーバ２００Ａに対して通信の接続を要求する（ステップＳ１１２Ａ）。
サーバ２００Ａ（アドレス情報管理処理部２４４Ａ）は、情報収集装置１００Ａからの通信の接続の要求を受け、その要求に付帯する情報から情報収集装置１００Ａに係るアドレスの情報を抽出して、記憶部１２０に記憶させる。
【００６６】
以下、ステップＳ３２０以降の「サーバ２００による情報収集装置１００の制御」に関する手順、「情報収集装置１００によって取得された情報のサーバ２００に対する送信」に関する手順、「端末５００に対する情報提供」に関する手順の各手順は、前述の図３と同様の手順で進めてもよい。なお、「サーバ２００による情報収集装置１００の制御」に関する手順、「情報収集装置１００によって取得された情報のサーバ２００に対する送信」に関する手順、「端末５００に対する情報提供」に関する手順の何れかを省略してもよい。
【００６７】
以上に示した手順に従えば、情報収集システム１Ａは、ネットワーク層の通信プロトコルにＩＰを用いるネットワークを使って遠隔地の情報を収集することができる。
【００６８】
以上、本発明の実施形態の情報収集システム１，１Ａは、上記のように構成したことにより、ネットワーク層の通信プロトコルにＩＰを用いるネットワークを使って遠隔地の情報を収集することができる。
【００６９】
以上、本発明の実施形態について説明したが、図１の情報収集システム１の各装置と、図４の情報収集システム１Ａの各装置は、内部にコンピュータシステムを有している。そして、上述した処理に関する一連の処理の過程は、プログラムの形式でコンピュータ読み取り可能な記憶媒体に記憶されており、このプログラムをコンピュータが読み出して実行することによって、上記処理が行われる。ここで、コンピュータ読み取り可能な記憶媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。また、ここでいう「コンピュータシステム」とは、ＯＳ等も含むものとする。
【００７０】
そして、情報収集装置１００（１００Ａ）、サーバ２００（２００Ａ）、及びアドレス管理装置３００における各処理の全部又は一部の処理は、ＣＰＵ等の中央演算処理装置がＲＯＭやＲＡＭ等の主記憶装置に上記プログラムを読み出して、情報の加工、演算処理を実行することにより、実現されるものである。勿論、情報収集システム１（１Ａ）を構成する各処理部は専用のハードウェアにより実現されるものであってもよい。
【００７１】
なお、ここで、本発明と上記実施形態との対応関係について補足して説明する。上記実施形態において、本発明における情報収集システムが、情報収集システム１、１Ａに対応し、情報収集装置が情報収集装置１００、１００Ａに、サーバがサーバ２００、２００Ａに対応し、アドレス情報管理処理部がアドレス情報管理処理部３４４に対応する。
【００７２】
以上、本発明の実施の形態について説明したが、本発明の情報収集システム１（１Ａ）は、上述の図示例にのみ限定されるものではなく、本発明の要旨を逸脱しない範囲内において種々変更を加え得ることは勿論である。
例えば、図１と図４に示す構成では、説明を簡略化するために各装置及びセンサを1つずつ備える構成を示すものであるが、各装置及びセンサの何れかを複数にして構成することを制限するものではなく、システムの目的、規模に応じて拡張することができる。同一のシステムで複数の種類の情報を取り扱うように構成できることはいうまでものない。
【００７３】
また、図２、図３、図５に示す手順は、一例を示すものであり、適用するシステムに応じて、同様の手順を複数繰り返し実施したり、一部を省略したりすることができる。
【００７４】
また、サーバ２００Ａの全部又は一部の機能を仮想化させて、クラウドサーバとして構成してもよい。
【００７５】
また、上記の実施の形態において、情報収集システム１（１Ａ）は、全てのネットワークを、ネットワーク層の通信プロトコルにＩＰ（Internet Protocol）を用いて通信するネットワークでるものとして説明したが、一部の区間にＩＰによる通信を透過的に中継するネットワークが存在してもよい。このように、一部の区間にＩＰによる通信を透過的に中継するネットワークが存在したとしても、情報収集システム１（１Ａ）は、ネットワーク層の通信プロトコルにＩＰを用いるネットワークを使って遠隔地の情報を収集することができる。
【符号の説明】
【００７６】
１、１Ａ  情報収集システム、
１００、１００Ａ  情報収集装置、１４０、１４０Ａ  情報収集制御部、
２００、２００Ａ  サーバ、２４０、２４０Ａ  サーバ制御部、
３００  アドレス管理装置、３４４  アドレス情報管理処理部、
５００  端末
【図１】
0006417634.tif 000002
【図２】
0006417634.tif 000003
【図３】
0006417634.tif 000004
【図４】
0006417634.tif 000005
【図５】
0006417634.tif 000006